(57)【要約】【課題】  可変レート符号化器（ＶＢＲ）に対応したディスクドライブ装置では映像レートによってシュックプルーフメモリへの蓄積又は読み出しレートが変動するので間欠駆動周期が不定期となるが、この間欠休止期間の変動に対してサーボ待機状態を適切に切替制御し、ディスクドライブの徹底した省電力化を図る。【解決手段】  映像符号化レート或いはメモリ容量からドライブ間欠休止時間を予測し、間欠休止予測時間に応じてサーボ待機状態を、スピンドルモータ停止、レーザ停止、高周波重畳停止、ウエイト待機等、サーボ状態を切り替える。【選択図】        図７
2006134531.tif 000002
【特許請求の範囲】
【請求項１】
情報を格納するメモリ手段と、前記メモリ手段への蓄積或いは読み出しによって、当該情報を間欠的にディスク状媒体に記録または再生する手段とを備えた光学的情報記録再生装置において、前記ディスク状媒体への記録または再生における間欠動作の休止時間を予測する手段と、前記予測手段の予測結果に応じて前記記録または再生手段の間欠休止期間のサーボ状態を切り替える手段とを有することを特徴とする光学的情報記録再生装置。
【請求項２】
少なくとも動画像について、所定時間当たりの符号量を、情報量に応じて変化させる可変ビットレート符号化または復号化手段を備え、前記予測手段は、当該可変ビットレート符号化または複号化手段によって決定された転送レート及び前記メモリ手段の空き容量に基づいて間欠休止時間を予測することを特徴とする請求項１に記載の光学的情報記録再生装置。
【請求項３】
前記予測手段の間欠休止予測時間をＴ、前記記録又は再生手段がＯＦＦ状態からＯＮ状態に移行するのに必要な時間をＸとする時、Ｔ≧Ｘであった場合には、前記サーボ状態切り替え手段は、前記ディスク状媒体を回転駆動するスピンドルモータを含む前記記録又は再生手段の動作を停止させることを特徴とする請求項１又は２に記載の光学的情報記録再生装置。
【請求項４】
前記予測手段の間欠休止予測時間をＴ、前記記録又は再生手段がＯＦＦ状態からＯＮ状態に移行するのに必要な時間をＸ、サーボＯＦＦ状態から前記記録又は再生手段がＯＮするのに必要な時間をＹとする時、Ｘ＞Ｔ≧Ｙであった場合には、前記サーボ状態切り替え手段は、サーボＯＦＦ状態とすることを特徴とする請求項１又は２に記載の光学的情報記録再生装置。
【請求項５】
前記サーボＯＦＦ状態において、レーザ光源の発光停止、フォーカスサーボ或いはトラッキングサーボ用のアクチュエータの駆動電流を停止及びスレッドモータの駆動電流を停止させることを特徴とする請求項４に記載の光学的情報記録再生装置。
【請求項６】
前記サーボＯＦＦ状態において、前記ディスク状記録媒体を回転駆動するスピンドルモータは駆動状態に保つことを特徴とする請求項４に記載の光学的情報記録再生装置。
【請求項７】
前記予測手段の間欠休止予測時間をＴ、サーボＯＦＦ状態から前記記録又は再生手段がＯＮするのに必要な時間をＹとする時、Ｔ≦Ｙであった場合には、前記サーボ状態切り替え手段は、サーボウエイト状態で待機させることを特徴とする請求項１又は２に記載の光学的情報記録再生装置。
【請求項８】
前記サーボウエイト状態においてレーザ光源の高周波重畳は停止させることを特徴とする請求項７に記載の光学的情報記録再生装置。
【発明の詳細な説明】
【技術分野】
【０００１】
本発明は、ディスク状媒体に情報を記録或いは記録情報を再生する光学的情報記録再生装置、特に、メモリへのデータ蓄積並びに読み出しによって間欠駆動制御を行うディスク駆動装置の省電力化技術に関するものである。
【背景技術】
【０００２】
従来、ディスク状記録媒体（以下、「ディスク」と記す）を用いた記録再生装置は、これまで主にパーソナル・コンピュータ等の周辺機器として活用され、媒体の可搬自在性或いは高速且つランダムなアクセス・レスポンスの優位性を持つことから、大容量データストレージ機器として発展してきた。近年、ディスクの高密度化が急速に進展するのに相まって小径且つ大容量のディスクが高精細スチルカメラやビデオカメラ等に採用され、撮像記録機器の主軸メディアとして大きな躍進を遂げている。
【０００３】
ところで、記録媒体にディスクを用いた記録再生装置は、撮影記録中の手ぶれ、振動、突発的なショック等に対してショックプルーフと呼ばれる機能を備え、記録再生機能への衝撃耐性を高めている。これは、撮像記録信号を一旦メモリに蓄積しておき、その間ディスク駆動を停止させてアクセス待機しておく。ディスク駆動とはディスクを回転させるスピンドルモータ駆動、ディスク所定アドレス位置に光学ピックアップを位置制御するスレッドモータ駆動、対物レンズの位置制御を担うアクチュエータ駆動、記録レーザパワー駆動等電力消費が嵩む動作である（以下、ディスクを駆動する機能を総じて「ドライブ」と記す）。
【０００４】
ここで、メモリへ蓄積容量が十分溜まったら、ディスクドライブを起動する。続いてメモリから高速で記録データを読み出してディスクに記録を行う。入出力する記録再生信号の伝送レートに比べ、ドライブに記録または再生する伝送レートの方が数倍高いことからこうしたショックプルーフ機能が実現できる。ドライブの稼動と停止を所定周期で繰り返す動作は間欠駆動と呼ばれ、衝撃耐性を高めるだけでなくディスクドライブを停止させておく時間が長ければ長いほど、ドライブ駆動に関する電力消費を抑えることに貢献し、撮像システム全体の省電力化に大きく寄与する。また、ドライブ待機時間を確保できるので、筐体への外乱等に起因するサーボエラーが生じても、待機時間を活用して復帰処理（以下「リトライ」と記す）を果たせられ、記録または再生動作の連続性・信頼性を高めることができる。
【０００５】
従来、こうした機能を備える記録装置としては、例えば、特許第３２２７７５６号公報で提案されたものがある（特許文献１）。この従来技術はドライブ装置を間欠駆動すると共に、間欠休止期間において、当該ドライブの駆動電源を停止し、消費電力の低減を図るものである。
【特許文献１】特許第３２２７７５６号公報
【発明の開示】
【発明が解決しようとする課題】
【０００６】
近年、映像文化の高画質化・大画面化が進み、映像信号が有する情報量は膨大の一途である。更に、映像に対するユーザの鑑賞スタイルも多様化しており、携帯活用するための小画面で軽快な映像へのニーズ、他方、ホームシアター等では大画面で高精細な映像へのニーズがある。こうした多様化の潮流のもと、放送通信システム或いは蓄積メディアシステムでは、ＭＰＥＧ（Moving Picture Experts Group）で知られる高能率符号化方式が主流である。周知のとおり、ＭＰＥＧ方式は映像信号の時間軸方向の強い相関を利用して予測符号化処理を行い、スケーラビリティの高い圧縮伸張処理を行えることから、デジタル映像機器のコア技術となっている。
【０００７】
特に、ＶＢＲ（Variable Bit Rate）と呼ばれる符号化方式は、ダイナミックに変化する入力信号の精細度特性に対して高精細な絵柄には符号量を多く割り当て、精細度の低い絵柄には符号量を少なく割り当てることによって、全体として画質を高品位に保ちながらも、平均的な符号化レートを低く制御できるという特長を有する。
【０００８】
一方、特許文献１のものは、ディスクドライブの間欠駆動時の省電力化を狙ったものであるが、ＶＢＲ方式のように符号化レートが可変する技術を用いた記録再生機器には適用できないという課題があった。
【０００９】
図１０を用いて本課題を具体的に説明する。図１０（ａ）は単位時間当たりに符号化されたデータ量を示す。また、図１０（ｂ）はショックプルーフメモリへの符号化データ蓄積量、図１０（ｃ）は間欠駆動タイミング信号（Ｈ：ディスクに記録／Ｌ：間欠休止期間）である。
【００１０】
今、入力映像信号に対してＶＢＲ方式で符号化データが生成され、図１０（ｂ）に示すようなメモリ蓄積を行ったとする。即ち、時刻ｔ０からｔ１の間、入力映像信号は符号化され、メモリに蓄積され続け、この間、ディスクドライブは停止している。時刻ｔ１においてメモリ蓄積量が所定値Ｍ４２に達したことによりディスクドライブが動作を開始し、時刻ｔ１からｔ２の間、メモリからディスクにデータが高速転送（記録）される。時刻ｔ２からｔ３の間、再びディスクドライブは停止し、メモリにデータが蓄積される。時刻ｔ３からｔ４の間、再びディスクドライブは動作し、メモリ内データはディスクに高速転送される。以後、同様の動作を繰り返す。
【００１１】
特許文献１のものは、間欠駆動の休止期間においてドライブへの電源供給を停止させて消費電力削減を図るものである。符号化レートが固定であれば、間欠駆動周期が一定なので実現し得る。しなしながら、ＶＢＲ方式のように符号化レートが変動する符号化装置では、図１０の時刻ｔ２からｔ３のように映像信号の精細度に応じて間欠駆動周期が変動する。即ち、符号化レートが高い区間は間欠休止期間が短くなり、ドライブの駆動電源を停止してしまうと、時刻ｔ３におけるドライブの起動が間に合わないという問題が発生してしまう。
【００１２】
本発明は、このような事情に鑑みなされたもので、その目的は、ＶＢＲ方式のように間欠駆動周期が変動する場合でも、徹底した節電を実現することが可能な光学的情報記録再生装置を提供することにある。
【課題を解決するための手段】
【００１３】
本発明は、上記課題を解決するため、情報を格納するメモリ手段と、前記メモリ手段への蓄積或いは読み出しによって、当該情報を間欠的にディスク状媒体に記録または再生する手段とを備えた光学的情報記録再生装置において、前記ディスク状媒体への記録または再生における間欠動作の休止時間を予測する手段と、前記予測手段の予測結果に応じて前記記録または再生手段の間欠休止期間のサーボ状態を切り替える手段とを有することを特徴とする。
【発明の効果】
【００１４】
本発明によれば、ディスクドライブの間欠駆動の休止時間を予測し、その予測時間長に応じてディスクドライブのサーボ待機状態の機能を選択的に切り替えることによって、記録再生システムの徹底した節電を図ることができる。例えば、ＶＢＲ方式を用いた符号化システムでは、入力信号の精細度に応じて符号化レートが変化する為、ショックプルーフメモリへのデータ蓄積量がダイナミックに変動する。よって、ディスクドライブの間欠駆動周期もまた不定期となる。
【００１５】
本発明によれば、こうしたドライブ間欠駆動の周期変動があっても、記録再生システム動作をシームレスに完遂させると共に、予測した間欠休止時間長に応じてサーボウエイト状態、高周波重畳停止でウエイト状態、レーザ消灯状態、スピンドルモータ停止状態等ドライブ動作状態を必要最低限の電力消費に抑えることができる。従って、システムトータルの消費電力を徹底的に削減することができる。
【発明を実施するための最良の形態】
【００１６】
次に、発明を実施するための最良の形態について図面を用いて詳細に説明する。図１は本発明による光学的情報記録再生装置の一実施形態の構成を示すブロック図である。
【００１７】
（本実施形態の全体構成並びに一連の動作）
図１の光学的情報記録再生装置は、撮像機能を有する携帯型ディスクドライブシステムを一例として示しており、大別して撮像系２００、ディスクドライブ系２２０を備えている。撮像系２００は前玉レンズ２０１、ズーム・フォーカス・絞り・防振等の機能を有する光学ユニット２０２、それらを制御する光学制御部２０３、撮像素子ＣＣＤ２０４、ＣＣＤドライバー２０５、カメラプロセッサ２０６、カメラコントローラ２０７を備えている。
【００１８】
ディスクドライブ系２２０は、光ディスク（以下「ディスク」と記す）２２１、光ピックアップ２２２、スピンドルモータ２２３、スピンドルモータドライバー２２４、ＡＴ（Auto Tracking）／ＡＦ（Auto Focus）ドライバー２２５、レーザドライバー２２６、サーボコントローラ（Digital Signal Processor）２２８、ディスク信号処理部２２７、ドライブプロセッサ２２９を備えている。
【００１９】
更に、本実施形態の光学的情報記録再生装置は、メモリ２４２、メモリ制御２４１、圧縮伸張プロセッサ２４３、表示部２４５、外部インタフェース（以下「外部Ｉ／Ｆ」と記す）２４６、操作部２４７、システムコントローラ（ＣＰＵ）２４４を備えている。これらの各部と撮像系２００、ディスクドライブ系２２０はデータバス２１０によって接続されている。
【００２０】
システムコントローラ２４４は中央演算処理機能（ＣＰＵ）を備え、操作部２４７からユーザ指定コマンドを受信実行する。或いは、カメラコントローラ２０７やサーボコントローラ２２８を介して撮像動作やディスク２２１へのサーボ動作を制御する。更に、所定のプログラムを実行することにより、光学的情報記録再生装置の全体システムを統括制御する。
【００２１】
外部Ｉ／Ｆ２４６は、アナログ映像音声信号の入出力、高速デジタルＩＥＥＥ１３９４やＵＳＢ（Universal Serial Bus）、或いは無線通信等諸規格に準じた信号送受信機能を実現するインタフェース処理系である。操作部２４７はユーザインタフェースであり、電源ＯＮ／ＯＦＦや記録／再生等の操作に必要な幾多のスイッチ群によって構成されている。表示部２４５は記録映像もしくは再生映像をモニタしたり、ユーザへの様々な管理情報の表示またはコマンド指示等を受けるインタフェースである。
【００２２】
メモリ２４２はデータバス２１０を介して各機能ブロックでタイム・シェアされるメモリである。メモリ２４２はシステムコントローラ２４４からメモリ制御部２４１を経由してデータの書き込み、読み出しが制御される。
【００２３】
次に、撮像系２００の動作を説明する。固定された前玉レンズ２０１、不図示の鏡筒内で移動自在なレンズ群や絞りによって構成された光学系ユニット２０２を介してユーザ所望のズーム画角やフォーカス制御がなされる。被写体は、前述の光学系を経てＣＣＤ２０４に結像される。ＣＣＤ２０４では、受光部に発生する蓄積電荷の分布に変換され、ＣＣＤドライバー２０５によって垂直方向、水平方向に順次転送されて時系列の撮像電気信号が生成される。
【００２４】
続いて、カメラプロセッサ２０６においてカメラコントローラ２０７で設定されたパラメータに応じて色分離、階調補正、ホワイトバランス調整等の信号処理がなされ、撮像信号としてデータバス２１０に出力される。カメラコントローラ２０７はシステムコントローラ２４４の指令に応じて光学制御部２０３、ＣＣＤドライバー２０５、カメラプロセッサ２０６の諸動作を統括制御する。
【００２５】
こうして得られた撮像信号や外部ＩＦ２４６を介して入力された信号は、圧縮伸張プロセッサ２４３によって、例えば、ＭＰＥＧ２（Moving Picture Experts Group 2）或いはＨ．２６４等、周知の符号化方式に準じて圧縮処理がなされる。
【００２６】
次に、ディスクドライブ系２２０の動作を説明する。光ピックアップ２２２は、光学カップリング群、レーザ素子、アクチュエータ、受光素子（以上図示せず）等から構成され、ディスク２２１へのレーザ光照射や光ビームスポットの位置制御等によって情報の記録または再生動作を行う。
【００２７】
ディスクドライブ系のサーボ動作について説明すると、サーボコントローラ２２８はドライブシステムのサーボ制御全体をコントロールする。サーボコントローラ２２８は不図示のスレッドモータを駆動制御することによって光ピックアップ２２２をディスク２２１上の所定アドレス近傍に位置制御する。
【００２８】
光ピックアップ２２２には、対物レンズをフォーカス方向とトラッキング方向に駆動するためのアクチュエータが設けられており、ＡＴ／ＡＦドライバー２２５はディスク信号処理部２２７から生成されるフォーカスエラー信号及びトラッキングエラー信号に基づいて対物レンズを制御する。こうして回転するディスク２２１のトラック上に光ビームスポットの合焦を維持すると共に、情報トラックに対してトラッキング制御を行う。更に、サーボコントローラ２２８はスピンドルモータドライバー２２４を介してスピンドルモータ２２３の回転駆動制御を行う。
【００２９】
サーボコントローラ２２８は、レーザドライバー２２６を介してレーザ射出光量の制御を行う。レーザ射出について図２を用いて詳述する。６０１はレーザ素子、６０２は加算器、６０３は電流制御部、６０４は発振器である。ディスク２２１への記録信号６０６は、電流制御部６０３において目標値６０５に基づくピーク値、ボトム値となるような射出パワーレベルに駆動制御され、記録時には周知のライトストラテジが設定される。また、サーボコントローラ２２８から供給される制御信号６０７は、レーザ駆動信号に高周波を重畳するか否かを選択するスイッチ信号である。制御信号６０７がＯＮの時発振器６０４が約３００ＭＨｚ程度の高周波発振で動作し、レーザ駆動信号に加算され、いわゆる高周波重畳をかけることができる。
【００３０】
サーボ制御されたディスク２２１からの反射光は、光ピックアップ２２２内の受光素子において光電変換され、センサ出力信号として伝送される。ディスク信号処理部２２７は、光ピックアップ２２２のセンサ出力信号をマトリクス演算し、ゲイン制御（Auto Gain Control）、フィルタリング（Pre Filter）、デジタル化（Analog/Digital Converter）といった一連の信号処理を行う。
【００３１】
デジタル化された再生データは、後段のドライブプロセッサ２２９に伝送される。ドライブプロセッサ２２９は、デジタル信号処理を担い、ＰＬＬ（Phase Locked Loop）によって再生信号のエッジに同期したクロック生成、イコライザによる波形等化、ＰＲＭＬ（Partial-Response Maximum-Likelihood）によるデータ検出、復調処理、或いはＥＣＣ（エラー訂正：Error Correction Code）等が実施され、データバス２１０に出力される。
【００３２】
続いて、ディスク２２１へのデータ記録動作について説明する。ディスク２２１は記録層にＧｅ−Ｓｂ−Ｔｅ等の相変化材料が用いられており、ディスク２２１を回転させながら光ビーム強度を変調して照射するとアモルファス状態と結晶状態が可逆的に変化する。記録層を結晶状態からアモルファス状態に変化させるには、光ビームをパルス状に照射し、一旦溶融した後急冷する。
【００３３】
逆に、アモルファス状態から結晶状態変化させるには、比較的弱い光ビーム強度のレーザ光を照射して結晶化温度以上でアニールする。このような相変化特性を利用して情報の記録再生を行う。撮像信号もしくは外部入力信号は、ドライブプロセッサ２２９において変調処理やディスク記録フォーマットに準じたデータ変換がなされる。レーザドライバー２２６は、周知のライトストラテジ処理を担い、記録変調データパターンに応じてレーザをパルス状に点灯制御する。
【００３４】
（ドライブ間欠駆動の説明）
次に、メモリ２４２とディスク２２１への記録データの流れについて図３を用いて詳述する。図３（ａ）は横軸に時間、縦軸にメモリ２４２へのデータ蓄積量を示す。図３（ｂ）はドライブ装置の間欠駆動タイミングを示す。ドライブ装置はメモリ蓄積量を監視しながら間欠動作でディスク２２１にデータの記録を行い、Ｈ区間でドライブ駆動、Ｌ区間でドライブ停止を示している。図３（ｃ）はメモリ２４２からのデータ読み出しを制御するタイミング信号（ディスクにデータを記録するタイミング信号）であり、Ｈ区間でメモリ２４２からデータが読み出される。図３（ｄ）はメモリへの撮像信号蓄積を制御するタイミング信号であり、Ｈ区間でメモリにデータが蓄積される。
【００３５】
今、撮影記録開始の上位コマンドが発行され、時刻ｔ０において撮像信号が所定の圧縮処理を経てメモリ２４２に蓄積開始される。縦軸に示すＡはメモリ容量の最大値であり、少なくとも数十秒以上の撮像信号を蓄積するのに十分な容量を備えている。撮像記録中、メモリ２４２へのデータ蓄積は図３（ｄ）に従って所定の転送レートで継続される。次に、メモリ容量がＢ（メモリ容量Ｂ＜Ａ）となる時刻ｔ１で休止していたドライブ装置が起動し、時刻ｔ２でドライブ装置が記録可能状態に至り、メモリ２４２からデータ読み出しが開始され、ディスク２２１への記録を行う。
【００３６】
メモリ２４２からのデータ読み出しレートは、蓄積レートに比べて数倍高速となっている。時刻ｔ３になったところで、図３（ｃ）の読み出しタイミング信号に従ってメモリ２４２からのデータ読み出しが終了し、ドライブ動作が休止に移行する。以後、同様の動作を間欠的に繰り返す。即ち、時刻ｔ３からｔ５まではメモリ２４２からのデータ読み出しは待機し、蓄積のみが継続される。時刻ｔ５からｔ６においてメモリ２４２からデータが高速で読み出される。
【００３７】
図３（ｂ）に示すドライブ装置の駆動タイミングは、メモリ２４２の蓄積容量に応じて起動と停止が制御される。ドライブ駆動タイミング（図３（ｂ））は、時刻ｔ１（ｔ１＜ｔ２）に起動し、ディスク２２１への所定アドレス位置へのシーク動作、アドレス確認が完了し、時刻ｔ２までにディスク２２への記録準備が整えられ、図３（ｃ）のタイミング信号に従ってメモリ２４２から高速でデータが読み出されて当該信号がディスク２２１に記録される。
【００３８】
以上のようにメモリ制御信号に従ってメモリ２４２内のデータ蓄積量を監視してドライブの起動と停止を間欠制御することによってデータ記録の連続性を確保できる。時刻ｔ０からｔ１、時刻ｔ３からｔ４の間は、ドライブ動作を停止しているので省電力に大きく寄与すると共に、装置筐体への外乱（衝撃、振動、揺れ）に起因するドライブ系のサーボ動作等にエラーが生じても、間欠休止期間にリトライで復帰処理することができる。なお、以上詳述した間欠動作はディスクにデータを記録する場合だけでなく、ディスク２２１からデータを再生する場合も同様である。
【００３９】
（ＶＢＲ処理について）
ここで、圧縮伸張プロセッサ２４３における符号化処理について説明する。図４は圧縮伸張プロセッサ２４３におけるＶＢＲ処理部の構成要素を示す。図中５０１は難易度判定器、５０２は符号量制御部、５０３は遅延器、５０４は量子化部、５０５は符号化部、５０６はバッファである。
【００４０】
入力データは難易度判定器５０１において所定時間毎の符号化難易度が判定される。具体的には、入力データを固定の量子化幅で符号化処理し、単位時間当たりの発生符号量をもとに符号化難易度を出力する。当該発生符号量が多い場合は、符号化難易度が高いと判定する。逆に発生符号量が少ない場合は、符号化難易度が低いと判定する。符号化難易度は次段の符号量制御部５０２に伝送される。
【００４１】
遅延器５０３は難易度判定器５０１の符号化難易度判定に要する時間相当分だけ入力データを遅延させて量子化部５０４に伝送する。量子化部５０４は符号量制御部５０２から制御される量子化幅にて入力データを量子化する。量子処理は符号化難易度に応じて量子化幅が可変制御され、符号化難易度が高いと判定された入力データに対しては量子化幅を細かく設定する。
【００４２】
量子化幅が細かいと発生符号量は増大するが、量子化誤差が低減されるので高精細な信号に即した高品位な符号化処理がなされる。逆に符号化難易度が低いと判定された入力データに対しては量子化幅を粗く設定する。量子化幅が粗いと発生符号量は縮小する。この場合、量子化誤差は増大するが符号化難易度が低い信号の為、量子化誤差等の破綻が目立たない。
【００４３】
このように高精細な信号には符号量を多く割り当てることによって符号化エラーを少なく処理し、他方、符号化難易度が低い信号には符号量を低く抑える処理を行う。なお、符号量制御部５０２はバッファ５０６より出力される符号化レートを所定時間監視し、システムコントローラ２４４で設定される目標符号量に平均的に近づくように制御を行う。こうして平均的な符号量をある目標値に漸近させながら、局所的な入力信号の精細度変化に応じて符号量を可変させる処理を行う。
【００４４】
（本実施形態におけるシステムコントローラの機能構成）
図５はシステムコントローラ２４４の機能ブロック構成を示す。システムコントローラ２４４はデータバス２１０と接続されており、更に、符号化レート監視部３０１、メモリ監視部３０２、間欠休止時間予測部３０３、サーボ待機状態決定部３０４を有している。システムコントローラ２４４は操作部２４７、圧縮伸張プロセッサ２４３、サーボコントローラ２２８、メモリ制御部２４１等と通信する。サーボ待機状態決定部３０４は後述するように間欠休止時間予測部３０３の間欠休止期間の予測時間に応じて間欠休止期間におけるサーボ状態を切り替える。
【００４５】
符号化レート監視部３０１は圧縮伸張プロセッサ２４３の符号化レート情報を監視する。メモリ監視部３０２はメモリ制御部２４１からメモリ蓄積量を監視する。間欠休止時間予測部３０３は符号化レート監視部３０１から符号化レートＲを取得する。またメモリ監視部３０２からメモリ蓄積量Ｍを取得する。
【００４６】
ここで、間欠休止時間予測部３０３における間欠休止時間の予測方法について図６を用いて説明する。
【００４７】
ステップ７０１：符号化レート監視部３０１より所定時間内の符号化レートＲ〔ｂｉｔ／秒〕を取得する。
【００４８】
ステップ７０２：間欠休止時間Ｔを以下のように予測する。
【００４９】
Ｔ〔秒〕＝メモリ空き容量〔ｂｉｔ〕／符号化レートＲ〔ｂｉｔ／秒〕
（本実施形態の間欠駆動のタイミングチャート）
図７は本実施形態の間欠休止期間の予測時間に応じてサーボ状態を切り替える動作を説明するフローチャートである。
【００５０】
ステップ１０１：ドライブ間欠駆動
ドライブシステムは間欠駆動を実施する。
【００５１】
ステップ１０２：間欠休止期間？
ドライブシステムが間欠休止期間に入る場合はステップ１０３へ移行する。ディスク２２１への記録期間に入る場合には、ステップ１０８に移行して記録動作を実施する。
【００５２】
ステップ１０３：間欠休止期間予測
図６に示す手順を踏んで、間欠休止時間予測部３０３は間欠休止期間に入る直前の符号化レートから間欠休止時間を予測する。ここで、図８を用いて休止時間予測フローのタイミングチャートを説明する。図８（ａ）はメモリ内のデータ蓄積量の時間推移を示すもので、図８（ａ）のＡはメモリ最大蓄積量、Ｂはドライブ装置に起動を促すメモリ蓄積量のしきい値レベルである。
【００５３】
図８（ｂ）はドライブ間欠駆動の切り替えタイミング（Ｈ：駆動、Ｌ：休止）である。図８（ａ）において時刻ｔ２即ち間欠休止動作に移行する直前の平均符号化レートＲを算出する。得られた平均符号化レートＲから次の休止予測時間Ｔを算出する。
【００５４】
Ｔ＝メモリ空き容量／Ｒ（符号化レート）〔秒〕
なお、本例でのメモリ空き容量とは、図８におけるメモリ閾値Ｂ〔ｂｉｔ〕にほぼ相当する。
【００５５】
ステップ１０４：間欠休止予測時間Ｔ判定
ステップ１０３における間欠休止予測時間Ｔに応じてサーボ切り替え状態を判定する。ここで、ディスクドライブＯＦＦ状態からディスクドライブＯＮ状態に移行するのに十分な時間をＸ、サーボＯＦＦ状態からディスクドライブＯＮ状態に移行するのに十分な時間をＹとする（Ｘ＞Ｙ（秒））。
【００５６】
ディスクドライブＯＦＦ状態からディスクドライブＯＮ状態に移行するには、スピンドルモータ２２３の駆動、レーザＯＮ、フォーカスサーボＯＮ、トラキングサーボＯＮの時間が必要であり、Ｘの値はこれらの動作に必要な時間に基づいて決められている。また、サーボＯＦＦ状態からディスクドライブＯＮ状態に移行するには、レーザＯＮ、フォーカスサーボＯＮ、トラッキングサーボＯＮの時間が必要であり、Ｙの値はこれらの動作に必要な時間に基づいて決められている。
【００５７】
このＸ、Ｙはディスクドライブの動作遷移に際して、システム動作を実現し得る所要時間の確保を意図するものである。
【００５８】
間欠休止予測時間Ｔと時間Ｘ、Ｙとの比較判定を行い、Ｔ≧Ｘの場合にはステップ１０５に移行する。Ｘ＞Ｔ≧Ｙの場合にはステップ１０６に移行する。Ｔ≦Ｙの場合にはステップ１０７に移行する。
【００５９】
ステップ１０５：ドライブＯＦＦ
Ｔ≧Ｘの場合には、ディスクドライブ系２２０の全ての動作を停止する。即ち、スピンドルモータ２２３まで停止させる。
【００６０】
ステップ１０６：サーボＯＦＦ
Ｘ＞Ｔ≧Ｙの場合には、レーザ発光停止、フォーカスサーボやトラッキングサーボ用のアクチュエータや光ピックアップ２２２を位置制御するスレッドモータの駆動電流を停止する。スピンドルモータ２２３は駆動した状態を保つ。
【００６１】
ステップ１０７：ドライブＯＮ待機
Ｔ≦Ｙの場合には、間欠休止時間、サーボはウエイト状態で待機する。
【００６２】
但し、ウエイト時、サーボコントローラ２２８はレーザドライバー２２６への制御信号６０７をオフにし、高周波重畳を停止させて待機する。高周波重畳回路は光ピックアップ検出信号における戻り光ノイズ低減効果を有するが、データ再生に関与しない待機時間にのみこの機能を停止させることによって高周波発振に要する電力消費を抑えることができる。ステップ１０５からステップ１０７の待機状態一覧を図９にまとめて示す。
【００６３】
以上詳述したとおり、本実施形態では、間欠休止予測時間に応じてドライブの待機状態を変えることができる。即ち、ＶＢＲ方式を用いたシステムのように符号化データに応じて間欠周期が変動するドライブ駆動システムの場合、間欠休止期間が入力信号品位に応じて変動してしまうので、休止時間が極端に短くなったり、或いは、逆に長くなる可能性がある。本実施形態では、間欠駆動タイミングが変動しても破綻のないシステム動作を完遂すると共に、ドライブの動作電力を徹底的に低減することができる。
【００６４】
なお、本実施形態では、ディスクドライブの記録動作に基づいて説明したが、再生動作であっても本発明の主旨を全く同様に適用できることは明らかである。再生動作の場合には、システムコントローラ２４４は圧縮伸張プロセッサ２４３の復号化レート情報を監視し、所定時間内の復号化レートとメモリ２４２の空き容量に基づいて間欠休止時間を予測する。後の動作は記録の場合と同様である。
【図面の簡単な説明】
【００６５】
【図１】本発明の光学的情報記録再生装置の一実施形態の構成を示すブロック図である。
【図２】本発明に係るレーザ駆動系を示すブロック図である。
【図３】本発明に係るメモリとディスクへの記録データの流れを説明するタイミングチャートである。
【図４】圧縮伸張プロセッサにおけるＶＢＲ処理部の構成を示すブロック図である。
【図５】システムコントローラの機能ブロック図である。
【図６】本発明に係る間欠休止予測動作を示すフローチャートである。
【図７】本発明に係る間欠休止予測時間に基づくサーボ状態切り替え動作を説明するフローチャートである。
【図８】本発明に係る間欠休止予測動作のタイミング図である。
【図９】本発明に係るドライブ間欠休止期間におけるサーボ状態の切り替えをまとめて示す図である。
【図１０】従来技術の課題を説明するタイミング図である。
【符号の説明】
【００６６】
２００  撮像系
２０１  前玉レンズ
２０２  光学ユニット
２０３  光学制御部
２０４  ＣＣＤ
２０５  ＣＣＤドライバー
２０６  カメラプロセッサ
２０７  カメラコントローラ
２１０  データバス
２２０  ディスクドライブ系
２２１  ディスク
２２２  光ピックアップ
２２３  スピンドルモータ
２２４  スピンドルモータドライバー
２２５  ＡＴ／ＡＦドライバー
２２６  レーザドライバー
２２７  ディスク信号処理部
２２８  サーボコントローラ
２２９  ドライブプロセッサ
２４１  メモリ制御部
２４２  メモリ
２４３  圧縮伸張プロセッサ
２４４  システムコントローラ（ＣＰＵ）
２４５  表示部
２４６  外部Ｉ／Ｆ
２４７  操作部
３０１  符号化レート監視部
３０２  メモリ監視部
３０３  間欠休止時間予測部
３０４  サーボ待機状態決定部
５０１  難易度判定器
５０２  符号量制御部
５０３  遅延器
５０４  量子化部
５０５  符号化部
５０６  バッファ
６０１  レーザ素子
６０２  加算器
６０３  電流制御部
６０４  発振器
【図１】
2006134531.tif 000003
【図２】
2006134531.tif 000004
【図３】
2006134531.tif 000005
【図４】
2006134531.tif 000006
【図５】
2006134531.tif 000007
【図６】
2006134531.tif 000008
【図７】
2006134531.tif 000009
【図８】
2006134531.tif 000010
【図９】
2006134531.tif 000011
【図１０】
2006134531.tif 000012